(57)【要約】【課題】  アンダーシールの固定にリベットを用いることなく、アンダーシールをエンドキャップで保持する構造としながらも、アンダーシールとスライダ本体との間に異物が侵入するのを防止してシール性能の向上を図る。【解決手段】  スライダ本体２Ａの下面に軸方向に沿って配置されると共に軸方向の端部がエンドキャップ５に保持され、案内レール１に摺接して該スライダ本体２Ａの下面をシールするアンダーシール３０を具備する直動案内軸受装置において、アンダーシール３０のスライダ本体２Ａと接触する部分に、該スライダ本体２Ａの軸方向長さと略同等長さとされてスライダ本体２Ａに対して弾性的に接触する弾性リップ部３５を設ける。【選択図】      図１
2005291341.tif 000002
【特許請求の範囲】
【請求項１】
軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダとを備え、該記スライダは、軸方向に貫通する転動体通路を有するスライダ本体と、前記両転動体転動溝間と前記転動体通路とを連通する湾曲状の方向転換路を有して前記スライダ本体の軸方向の端部に固定されたエンドキャップと、前記スライダ本体の下面に軸方向に沿って配置されると共に軸方向の端部が前記エンドキャップに保持され、前記案内レールに摺接して該スライダ本体の下面をシールするアンダーシールとを具備する直動案内軸受装置において、
前記アンダーシールの前記スライダ本体と接触する部分に、該スライダ本体の軸方向長さと略同等長さとされて前記スライダ本体に対して弾性的に接触する弾性リップ部を設けたことを特徴とする直動案内軸受装置。
【請求項２】
前記アンダーシールの芯金の略中央部に凸状の段部を設けたことを特徴とする請求項１に記載した直動案内軸受装置。
【請求項３】
軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダとを備え、該記スライダは、軸方向に貫通する転動体通路を有するスライダ本体と、前記両転動体転動溝間と前記転動体通路とを連通する湾曲状の方向転換路を有して前記スライダ本体の軸方向の端部に固定されたエンドキャップと、前記スライダ本体の下面に軸方向に沿って配置されると共に軸方向の端部が前記エンドキャップに保持され、前記案内レールに摺接して該スライダ本体の下面をシールするアンダーシールとを具備する直動案内軸受装置において、
前記アンダーシールの芯金の略中央部に凸状の段部を設けたことを特徴とする直動案内軸受装置。
【請求項４】
軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダとを備え、該記スライダは、軸方向に貫通する転動体通路を有するスライダ本体と、前記両転動体転動溝間と前記転動体通路とを連通する湾曲状の方向転換路を有して前記スライダ本体の軸方向の端部に固定されたエンドキャップとを具備する直動案内軸受装置に設けられ、前記スライダ本体の下面に軸方向に沿って配置されると共に軸方向の端部が前記エンドキャップに保持され、前記案内レールに摺接して該スライダ本体の下面をシールするアンダーシールであって、
前記スライダ本体と接触する部分に、該スライダ本体の軸方向長さと略同等長さとされて前記スライダ本体に対して弾性的に接触する弾性リップ部を設けたことを特徴とするアンダーシール。
【請求項５】
シール芯金の略中央部に凸状の段部を設けたことを特徴とする請求項４に記載したアンダーシール。
【請求項６】
軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダとを備え、該記スライダは、軸方向に貫通する転動体通路を有するスライダ本体と、前記両転動体転動溝間と前記転動体通路とを連通する湾曲状の方向転換路を有して前記スライダ本体の軸方向の端部に固定されたエンドキャップとを具備する直動案内軸受装置に設けられ、前記スライダ本体の下面に軸方向に沿って配置されると共に軸方向の端部が前記エンドキャップに保持され、前記案内レールに摺接して該スライダ本体の下面をシールするアンダーシールであって、
シール芯金の略中央部に凸状の段部を設けたことを特徴とするアンダーシール。
【発明の詳細な説明】
【技術分野】
【０００１】
本発明は、例えば産業機械分野に用いられる直動案内軸受装置及び該直動案内軸受装置に取り付けられるアンダーシールに関する。
【背景技術】
【０００２】
従来のこの種の直動案内軸受装置としては、例えば図１６に示すものが知られている。  この直動案内軸受装置は、軸方向に延びる案内レール１と、該案内レール１上に軸方向に相対移動可能に跨架されたスライダ２とを備える。
案内レール１の両側面にはそれぞれ軸方向に延びる転動体転動溝３が形成されており、スライダ２のスライダ本体２Ａには、その両袖部４の内側面に、それぞれ転動体転動溝３に対向する転動体転動溝７が形成されている。そして、これらの向き合った両転動体転動溝３，７の間には転動体の一例としての多数のボールＢが転動自在に装填され、これらのボールＢの転動を介してスライダ２が案内レール１上を軸方向に沿って相対移動できるようになっている。
【０００３】
この移動につれて、案内レール１とスライダ２との間に介在するボールＢは転動してスライダ２の端部に移動するが、スライダ２を軸方向に継続して移動させていくためには、これらのボールＢを無限に循環させる必要がある。
このため、スライダ本体２Ａの袖部４内に軸方向に貫通する転動体通路８を形成すると共に、スライダ本体２Ａの両端にそれぞれ略コ字状のエンドキャップ５を例えばねじ１２等の固定手段を介して固定し、このエンドキャップ５に上記両転動体転動溝３，７間と上記転動体通路８とを連通する半円弧状に湾曲した方向転換路６を形成することにより、転動体無限循環軌道を形成している。なお、図１６において、符号１１はエンドキャップ５と共にスライダ本体２Ａの端面にねじ１２等を介して固定されるサイドシール、１０はスライダ本体２Ａの端面に形成されたねじ１２のタップ穴、１３は給脂用ニップル、１４は案内レール１の固定用のボルト挿通穴である。
【０００４】
ところで、スライダ２と案内レール１との間をシールする部材としては、上記サイドシール１１の他に、スライダ本体２Ａの案内レール１の上面両側に対向する位置に配設されたインナーシール（図示せず）や、図１７及び図１８等に示すように、スライダ本体２Ａの下面に軸方向に沿って配置され、案内レール１の側面に摺接して該スライダ本体２Ａの下面をシールするアンダーシール１５が挙げられる。
【０００５】
アンダーシール１５は、スライダ本体２Ａの軸方向に長い長板形状の芯金１６と、該芯金１６に固着されたゴムシール１７とを備えており、スライダ本体２Ａの下面（図１８及び図１９参照）、或いは下面に凹設された収容凹部１８（図２０及び図２１参照）に配置された状態で、その両端部をエンドキャップ５に設けられた保持溝１９（図１７参照）に差し込むことによって保持され、その幅方向内側縁に形成された摺動リップ部２０が案内レール１の側面に摺接することで、スライダ本体２Ａの下面をシールするようになっている。
【発明の開示】
【発明が解決しようとする課題】
【０００６】
しかしながら、上記従来の直動案内軸受装置においては、アンダーシール１５がエンドキャップ５の保持溝１９によってのみ保持されているため、スライダ本体２Ａとの密着性が弱く、スライダ本体２Ａとアンダーシール１５との間にすき間が容易に生じ、該すき間から異物等が侵入しやすいという問題がある。
また、アンダーシール１５をスライダ本体２Ａの下面に凹設された収容凹部１８（図２０及び図２１参照）に配置する場合には、アンダーシール１５とスライダ本体２Ａの下面との間に生じる凹部２１に異物等が溜まりやすいという問題がある。
【０００７】
このような問題を解決する手段としては、従来、アンダーシール１５をスライダ本体２Ａの下面に直接リベット２２で固定（図２２参照）することが行われているが、一旦リベット２２でアンダーシール１５をスライダ本体２Ａの下面に固定してしまうと、アンダーシール１５を容易に取り外すことができなくなるばかりか、スライダ本体２Ａにリベット２２の穴を加工する必要があるためコスト高になり、しかも、アンダーシール１５の組付け時におけるリベット打ち作業、およびアンダーシール１５の交換時におけるリベット除去作業等の手間がかかるという問題が生じる。
【０００８】
また、リベット２２を強く打込むとアンダーシール１５がリベット２２により過度に潰される結果、アンダーシール１５の端部および中間部が波打ち変形してスライダ本体２Ａとの間にすき間が生じやすく、更には、スライダ本体２Ａの下面にリベット２２の頭が突出するので余分な取付けスペースを必要とするという問題も生じる。
本発明はこのような不都合を解消するためになされたものであり、アンダーシールの固定にリベットを用いることなく、アンダーシールをエンドキャップで保持する構造としながらも、アンダーシールとスライダ本体との間に異物が侵入するのを防止してシール性能の向上を図ることができる直動案内軸受装置及びアンダーシールを提供することを目的とする。
【課題を解決するための手段】
【０００９】
上記目的を達成するために、請求項１に係る発明は、軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダとを備え、該記スライダは、軸方向に貫通する転動体通路を有するスライダ本体と、前記両転動体転動溝間と前記転動体通路とを連通する湾曲状の方向転換路を有して前記スライダ本体の軸方向の端部に固定されたエンドキャップと、前記スライダ本体の下面に軸方向に沿って配置されると共に軸方向の端部が前記エンドキャップに保持され、前記案内レールに摺接して該スライダ本体の下面をシールするアンダーシールとを具備する直動案内軸受装置において、
前記アンダーシールの前記スライダ本体と接触する部分に、該スライダ本体の軸方向長さと略同等長さとされて前記スライダ本体に対して弾性的に接触する弾性リップ部を設けたことを特徴とする。
【００１０】
請求項２に係る発明は、請求項１において、前記アンダーシールの芯金の略中央部に凸状の段部を設けたことを特徴とする。
請求項３に係る発明は、軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダとを備え、該記スライダは、軸方向に貫通する転動体通路を有するスライダ本体と、前記両転動体転動溝間と前記転動体通路とを連通する湾曲状の方向転換路を有して前記スライダ本体の軸方向の端部に固定されたエンドキャップと、前記スライダ本体の下面に軸方向に沿って配置されると共に軸方向の端部が前記エンドキャップに保持され、前記案内レールに摺接して該スライダ本体の下面をシールするアンダーシールとを具備する直動案内軸受装置において、
前記アンダーシールの芯金の略中央部に凸状の段部を設けたことを特徴とする。
【００１１】
請求項４に係る発明は、軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダとを備え、該記スライダは、軸方向に貫通する転動体通路を有するスライダ本体と、前記両転動体転動溝間と前記転動体通路とを連通する湾曲状の方向転換路を有して前記スライダ本体の軸方向の端部に固定されたエンドキャップとを具備する直動案内軸受装置に設けられ、前記スライダ本体の下面に軸方向に沿って配置されると共に軸方向の端部が前記エンドキャップに保持され、前記案内レールに摺接して該スライダ本体の下面をシールするアンダーシールであって、
前記スライダ本体と接触する部分に、該スライダ本体の軸方向長さと略同等長さとされて前記スライダ本体に対して弾性的に接触する弾性リップ部を設けたことを特徴とする。
【００１２】
請求項５に係る発明は、請求項４において、シール芯金の略中央部に凸状の段部を設けたことを特徴とする。
請求項６に係る発明は、軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダとを備え、該記スライダは、軸方向に貫通する転動体通路を有するスライダ本体と、前記両転動体転動溝間と前記転動体通路とを連通する湾曲状の方向転換路を有して前記スライダ本体の軸方向の端部に固定されたエンドキャップとを具備する直動案内軸受装置に設けられ、前記スライダ本体の下面に軸方向に沿って配置されると共に軸方向の端部が前記エンドキャップに保持され、前記案内レールに摺接して該スライダ本体の下面をシールするアンダーシールであって、
シール芯金の略中央部に凸状の段部を設けたことを特徴とする。
【発明の効果】
【００１３】
本発明によれば、アンダーシールのスライダ本体と接触する部分に設けられたスライダ本体の軸方向長さと略同等長さを有する弾性リップ部が、スライダ本体に対して弾性力を持って接触するため、スライダ本体とアンダーシールとの密着性が高くなり、これにより、リベットによりアンダーシールをスライダ本体に固定することなく、スライダ本体とアンダーシールとの間にすき間が発生するのを防ぐことができ、異物等の侵入を阻止することができる。
【００１４】
アンダーシールをスライダ本体の下面に凹設された収容凹部に配置する場合は、該収容凹部を覆うように弾性リップ部を配置して、該弾性リップ部の先端をスライダ本体に弾性力を持って接触させることで、スライダ本体の下面に凹部をなくすことができ、これにより、特に直動案内軸受装置を逆さにして使用する場合等において、前記凹部に異物等が溜まるのを阻止することができる。
また、収容凹部を覆うように配置した弾性リップ部の先端はスライダ本体に弾性力を持って接触するため、アンダーシールとスライダ本体との密着性が高くなって、スライダ本体とアンダーシールとの間にすき間が発生するのを防ぐことができ、異物等の侵入を阻止することができる。
【００１５】
また、本発明では、アンダーシールの芯金の略中央部に凸状の段部を設けることで、アンダーシールの剛性を高くしてアンダーシールの変形を防止することができ、これにより、スライダ本体とアンダーシールとの間にすき間が発生するのを防止して、異物等の侵入を阻止することができる。
更に、本発明では、アンダーシールの固定にリベットを用いることなく、アンダーシールをエンドキャップで保持する構造を採用しているので、アンダーシールのスライダ本体からの脱着が容易であり、しかもリベット取付けによる穴加工、アンダーシールの組付け、交換等のコストを不要にすることができる。
【発明を実施するための最良の形態】
【００１６】
以下、本発明の実施の形態を図を参照して説明する。図１は本発明の第１の実施の形態である直動案内軸受装置の要部を説明するための拡大断面図、図２はアンダーシールの平面図、図３は図２の矢印Ｄ方向から見た図、図４は図３の矢印Ｅ方向から見た図、図５は図２のＡ−Ａ線拡大断面図、図６は図２のＢ−Ｂ線拡大断面図、図７は図２のＣ−Ｃ線拡大断面図、図８〜図１５は本発明の他の実施の形態である直動案内軸受装置を説明するための図である。なお、各実施の形態共に、既に図１６〜図２１で説明した従来の直動案内軸受装置と重複又は相当する部分については、各図に同一符号を付してその説明を省略する。
【００１７】
本発明の第１の実施の形態である直動案内軸受装置は、図１〜図７を参照して、案内レール１の側面に摺接して該スライダ本体２Ａの下面をシールするアンダーシール３０が、スライダ本体２Ａの軸方向に長い長板形状の芯金３１と、該芯金３１に固着されたゴムシール３２とを備えており、スライダ本体２Ａの下面に配置された状態で、その両端部がエンドキャップ５に設けられた保持溝１９に差し込まれて保持されている。また、アンダーシール３０の幅方向内側（案内レール１側）にはスライダ本体２Ａの軸方向に沿って延びる凸条３３が形成されており、この凸条３３がエンドキャップ５に当接することで、アンダーシール３０の幅方向の位置決めがなされている。
【００１８】
そして、アンダーシール３０の凸条３３からは摺動リップ部３４が案内レール１側に突設されており、該摺動リップ部３４が案内レール１の側面に摺接することで、スライダ本体２Ａの下面をシールするようになっている。
ここで、この実施の形態では、アンダーシール３０のスライダ本体２Ａの下面と接触する部分に、該スライダ本体２Ａの軸方向長さと略同等長さとされてスライダ本体２Ａに対して僅かなしめしろを持って弾性的に接触する弾性リップ部３５が、アンダーシール３０の幅方向に互いに離間して二箇所設けられている。
【００１９】
このようにこの実施の形態では、アンダーシール３０のスライダ本体２Ａの下面と接触する部分に設けられたスライダ本体２Ａの軸方向長さと略同等長さを有する弾性リップ部３５が、スライダ本体２Ａの下面に対して弾性力を持って接触するため、スライダ本体２Ａとアンダーシール３０との密着性が高くなり、これにより、リベットによりアンダーシール３０をスライダ本体２Ａに固定することなく、スライダ本体２Ａとアンダーシール３０との間にすき間が発生するのを防止することができ、異物等の侵入を阻止することができる。
また、アンダーシール３０の固定にリベットを用いることなく、アンダーシール３０をエンドキャップ５で保持する構造を採用しているので、アンダーシール３０のスライダ本体２Ａからの脱着が容易であり、しかもリベット取付けによる穴加工、アンダーシールの組付け、交換等のコストを不要にすることができる。
【００２０】
次に、図８を参照して、本発明の第２の実施の形態である直動案内軸受装置を説明する。
本発明の第２の実施の形態である直動案内軸受装置は、図８に示すように、案内レール１の側面に摺接して該スライダ本体２Ａの下面をシールするアンダーシール４０が、スライダ本体２Ａの軸方向に長い長板形状の芯金４１と、該芯金４１に固着されたゴムシール４２とを備えており、スライダ本体２Ａの下面に凹設された収容凹部１８に配置された状態で、その両端部がエンドキャップ５に設けられた保持溝１９に差し込まれて保持されている。また、アンダーシール４０の幅方向内側（案内レール１側）にはスライダ本体２Ａの軸方向に沿って延びる凸条４３が形成されており、この凸条４３がエンドキャップ５に当接することで、アンダーシール４０の幅方向の位置決めがなされている。
【００２１】
アンダーシール４０の凸条４３からは摺動リップ部４４が案内レール１側に突設されており、該摺動リップ部４４が案内レール１の側面に摺接することで、スライダ本体２Ａの下面をシールするようになっている。
アンダーシール４０のスライダ本体２Ａの下面と接触する部分には、上記第１の実施の形態と同様に、該スライダ本体２Ａの軸方向長さと略同等長さとされてスライダ本体２Ａに対して僅かなしめしろを持って弾性的に接触する弾性リップ部４５が、アンダーシール４０の幅方向に互いに離間して二箇所設けられている。
【００２２】
また、この実施の形態では、アンダーシール４０の幅方向の外側（摺接リップ部４４と離間する側）には、スライダ本体２Ａの軸方向長さと略同等長さとされて収容凹部１８の斜面部に対して僅かなしめしろを持って弾性的に接触する弾性リップ部４６が、収容凹部１８を覆うように設けられている。
更に、この実施の形態では、芯金４１の略中央部に凸状の段部４７を設けることで、アンダーシール４０の剛性を高めた形状となっている。
【００２３】
このようにこの実施の形態では、アンダーシール４０をスライダ本体２Ａの下面に凹設された収容凹部１８に配置する場合は、該収容凹部１８を覆うように弾性リップ部４６を配置して、該弾性リップ部４６の先端を収容凹部１８の斜面部に弾性力を持って接触させることで、スライダ本体２Ａの下面に凹部をなくすことができるので、特に直動案内軸受装置を逆さにして使用する場合等において、前記凹部に異物等が溜まるのを阻止することができる。
【００２４】
また、収容凹部１８を覆うように配置した弾性リップ部１８の先端は収容凹部１８の斜面部に弾性力を持って接触するため、アンダーシール４０とスライダ本体２Ａとの密着性が高くなって、スライダ本体２Ａとアンダーシール４０との間にすき間が発生するのを防ぐことができ、異物等の侵入を阻止することができる。
更に、アンダーシール４０の芯金４１の略中央部に凸状の段部４７を設けることで、アンダーシール４０の剛性を高くしているので、アンダーシール４０の変形を防止することができ、これにより、スライダ本体２Ａとアンダーシール４０との間にすき間が発生するのを防止して、異物等の侵入を阻止することができる。その他の作用効果は上記第１の実施の形態と同様である。
【００２５】
次に、図９〜図１５を参照して、本発明の第３の実施の形態である直動案内軸受装置を説明する。
この実施の形態では、上記第２の実施の形態に対して、アンダーシール４０のスライダ本体２Ａの下面と接触する面の反対側の面を案内レール１の側面からスライダ本体２Ａの側面に向かって次第に低くなる傾斜面４８として、アンダーシール４０に異物を溜めないようにする効果をより高めたものである。その他の構成及び作用効果は上記第２の実施の形態と同様である。
【００２６】
なお、本発明の直動案内軸受装置は上記各実施の形態に限定されるものではなく、本発明の要旨を逸脱しない範囲において適宜変更可能である。
例えば、アンダーシールに設ける弾性リップ部の位置は上記各実施の形態に限定されることなく任意であり、また、弾性リップ部の数も１箇所又は２箇所以上配置するようにしてもよい。
また、上記各実施の形態では、転動体としてボールＢを用いた直動案内軸受装置を例に採ったが、これに限定されず、転動体としてころを用いた直動案内軸受装置に本発明を適用してもよい。
【図面の簡単な説明】
【００２７】
【図１】本発明の第１の実施の形態である直動案内軸受装置の要部を説明するための拡大断面図である。
【図２】アンダーシールの平面図である。
【図３】図２の矢印Ｄ方向から見た図である。
【図４】図３の矢印Ｅ方向から見た図である。
【図５】図２のＡ−Ａ線拡大断面図である。
【図６】図２のＢ−Ｂ線拡大断面図である。
【図７】図２のＣ−Ｃ線拡大断面図である。
【図８】本発明の第２の実施の形態である直動案内軸受装置の要部を説明するための拡大断面図である。
【図９】本発明の第３の実施の形態である直動案内軸受装置の要部を説明するための拡大断面図である。
【図１０】アンダーシールの平面図である。
【図１１】図１０の矢印Ｄ方向から見た図である。
【図１２】図１１の矢印Ｅ方向から見た図である。
【図１３】図１０のＡ−Ａ線拡大断面図である。
【図１４】図１０のＢ−Ｂ線拡大断面図である。
【図１５】図１０のＣ−Ｃ線拡大断面図である。
【図１６】従来の直動案内軸受装置を説明するための一部を破断した斜視図である。
【図１７】スライダ本体とアンダーシールの分解斜視図である。
【図１８】従来のアンダーシールを取り付けた直動案内軸受装置を説明するための一部を破断した図である。
【図１９】図１８のＡ部拡大断面図である。
【図２０】従来のアンダーシールを取り付けた直動案内軸受装置を説明するための一部を破断した図である。
【図２１】図２０のＡ部拡大断面図である。
【図２２】リベットで固定されるアンダーシールとスライダ本体との分解斜視図である。
【符号の説明】
【００２８】
１  案内レール
２  スライダ
３  転動体転動溝（案内レール側）
７  転動体転動溝（スライダ側）
Ｂ  ボール（転動体）
８  転動体通路
２Ａ  スライダ本体
６  方向転換路
５  エンドキャップ
３０  アンダーシール
３１  芯金
３５  弾性リップ部
４７  段部
【図１】
2005291341.tif 000003
【図２】
2005291341.tif 000004
【図３】
2005291341.tif 000005
【図４】
2005291341.tif 000006
【図５】
2005291341.tif 000007
【図６】
2005291341.tif 000008
【図７】
2005291341.tif 000009
【図８】
2005291341.tif 000010
【図９】
2005291341.tif 000011
【図１０】
2005291341.tif 000012
【図１１】
2005291341.tif 000013
【図１２】
2005291341.tif 000014
【図１３】
2005291341.tif 000015
【図１４】
2005291341.tif 000016
【図１５】
2005291341.tif 000017
【図１６】
2005291341.tif 000018
【図１７】
2005291341.tif 000019
【図１８】
2005291341.tif 000020
【図１９】
2005291341.tif 000021
【図２０】
2005291341.tif 000022
【図２１】
2005291341.tif 000023
【図２２】
2005291341.tif 000024